(57)【要約】【課題】電線を損傷させることなく合体状態に保持する。【解決手段】電線カバーＡは、底壁部１１から側壁部１２を立ち上げた形態の第１半割体１０と、電線Ｗを挟むように第１半割体１０に合体される第２半割体４０と、側壁部１２の外面に形成されたロック突起２１，２２，２３Ｌ，２３Ｒと、第２半割体４０に形成され、ロック突起２１，２２，２３Ｌ，２３Ｒに係止することで両半割体１０，４０を合体状態にロックする弾性ロック片４１，４２，４３Ｌ，４３Ｒと、側壁部１２の内面のうちロック突起２１，２２，２３Ｌ，２３Ｒと背中合わせとなる領域に形成され、側壁部１２の内面側への変位を抑制可能な補強部２６，３０，３２と、補強部２６，３０，３２における電線Ｗとの対向領域に形成され、滑らかに延びる受け面２９，３１，３３とを備える。【選択図】図７
2019220346.tif 000002
【特許請求の範囲】
【請求項１】
ハウジングから後方へ導出された電線を屈曲させた状態で包囲する電線カバーであって、
底壁部から側壁部を立ち上げた形態の第１半割体と、
前記電線を挟むように前記第１半割体に合体される第２半割体と、
前記側壁部の外面に形成されたロック突起と、
前記第２半割体に形成され、前記ロック突起に係止することで前記第１半割体と前記第２半割体を合体状態にロックする弾性ロック片と、
前記側壁部の内面のうち前記ロック突起と背中合わせとなる領域に形成され、前記側壁部の内面側への変位を抑制可能な補強部と、
前記補強部における前記電線との対向領域に形成され、滑らかに延びる受け面とを備えていることを特徴とする電線カバー。
【請求項２】
前記受け面が、前記電線の配索方向に沿うように延びた形態であることを特徴とする請求項１記載の電線カバー。
【請求項３】
前記受け面のうち前記電線の配索方向における端部が、前記側壁部の内面に繋がっていることを特徴とする請求項２記載の電線カバー。
【請求項４】
前記補強部が、前記側壁部の内面から略直角に突出した基部と、前記基部の突出端から前記側壁部に沿って延出した延出部とを備え、
前記延出部に前記受け面が形成されていることを特徴とする請求項１ないし請求項３のいずれか１項に記載の電線カバー。
【請求項５】
前記補強部が、略平板状をなし、前記側壁部の角部を構成する２つの平板状壁部の内面同士を連結する形態であることを特徴とする請求項１ないし請求項３のいずれか１項に記載の電線カバー。
【発明の詳細な説明】
【技術分野】
【０００１】
本発明は、電線カバーに関するものである。
【背景技術】
【０００２】
特許文献１には、ハウジングの後端部に筒状の電線カバーを取り付け、ハウジングの後方へ導出された電線を電線カバー内で屈曲させるようにしたコネクタが開示されている。電線カバーは、２つの半割体を合体して構成されている。一方の半割体を構成する側壁部の外面にはロック突起が形成されている。他方の半割体には、合体状態でロック突起に係止する弾性ロック片が形成されている。
【先行技術文献】
【特許文献】
【０００３】
【特許文献１】特開２０１２−１３４０９５号公報
【発明の概要】
【発明が解決しようとする課題】
【０００４】
電線カバーは合成樹脂材料からなるため、ロック突起が形成されている側壁部が内面側へ変位すると、ロック突起が弾性ロック片から外れてしまうことが懸念される。側壁部の変位を規制する手段としては、側壁部の内面にリブ状の補強部を突出形成することが考えられる。しかし、電線が振動してリブ状の補強部に擦れるような環境下で電線カバーが使用された場合、電線の外周にリブ状の補強部が食い込む状態となって、電線の外周面が摩耗することが懸念される。
【０００５】
本発明は上記のような事情に基づいて完成されたものであって、一対の半割体を合体した電線カバーにおいて、電線を損傷させることなく合体状態に保持することを目的とする。
【課題を解決するための手段】
【０００６】
本発明は、
ハウジングから後方へ導出された電線を屈曲させた状態で包囲する電線カバーであって、
底壁部から側壁部を立ち上げた形態の第１半割体と、
前記電線を挟むように前記第１半割体に合体される第２半割体と、
前記側壁部の外面に形成されたロック突起と、
前記第２半割体に形成され、前記ロック突起に係止することで前記第１半割体と前記第２半割体を合体状態にロックする弾性ロック片と、
前記側壁部の内面のうち前記ロック突起と背中合わせとなる領域に形成され、前記側壁部の内面側への変位を抑制可能な補強部と、
前記補強部における前記電線との対向領域に形成され、滑らかに延びる受け面とを備えていることを特徴とする。
【発明の効果】
【０００７】
側壁部は、補強部によって内面側へ変位することを規制されているので、ロック突起と弾性ロック片とを確実に係止させることができる。また、補強部のうち電線と対向する領域は、滑らかに延びた受け面となっているので、電線が振動等によって受け面に接触しても、電線が受け面によって損傷する虞はない。
【図面の簡単な説明】
【０００８】
【図１】実施例１の電線カバーをハウジングに取り付けた状態をあらわす平面図
【図２】電線カバーをハウジングに取り付けた状態をあらわす正面図
【図３】電線カバーをハウジングに取り付けた状態をあらわす右側面図
【図４】電線カバーをハウジングに取り付けた状態をあらわす左側面図
【図５】図１のＸ−Ｘ線断面図
【図６】図１のＹ−Ｙ線断面図
【図７】第１半割体をハウジングに取り付けた状態をあらわす平面図
【図８】第２半割体の底面図
【発明を実施するための形態】
【０００９】
本発明は、前記受け面が、前記電線の配索方向に沿うように延びた形態であってもよい。この構成によれば、受け面により、電線を所定の配索経路に沿うようにガイドすることができる。
【００１０】
本発明は、前記受け面のうち前記電線の配索方向における端部が、前記側壁部の内面に繋がっていてもよい。この構成によれば、受け面の端部が側壁部に繋がっているので、補強部の剛性が高い。
【００１１】
本発明は、前記補強部が、前記側壁部の内面から略直角に突出した基部と、前記基部の突出端から前記側壁部に沿って延出した延出部とを備え、前記延出部に前記受け面が形成されていてもよい。この構成によれば、側壁部の内面に沿うように配された延出部に受け面が形成されているので、受け面を広く確保することができる。
【００１２】
本発明は、前記補強部が、略平板状をなし、前記側壁部の角部を構成する２つの平板状壁部の内面同士を連結する形態であってもよい。この構成によれば、略平板状の補強部と２つの平板状壁部とによって三角形が形成されるので、補強部の剛性が高い。
【００１３】
＜実施例１＞
以下、本発明を具体化した実施例１を図１〜図８を参照して説明する。尚、以下の説明において、前後の方向については、図１，７における下方及び図３，５における左方を前方と定義する。上下の方向については、図２〜６にあらわれる向きを、そのまま上方、下方と定義する。左右の方向については、図１，２，６，７にあらわれる向きを、そのまま左方、右方と定義する。
【００１４】
本実施例１の電線カバーＡは、ハウジングＨの後端部に取り付けられ、ハウジングＨの後面から略水平に導出された複数本の電線Ｗを包囲するものである。電線Ｗに固着した端子金具ＴはハウジングＨ内に挿入されている。図２〜６に示すように、電線カバーＡは、合成樹脂材料からなり内部空間が上方へ開放された第１半割体１０と、合成樹脂材料からなり内部空間が下方へ開放された第２半割体４０とを、上下に合体することで構成されている。合体状態の電線カバーＡの内部空間は、電線Ｗを貫通させるとともに、電線Ｗを屈曲した状態で配索するための配索空間Ｓとなっている。電線カバーＡ内（配索空間Ｓ内）では、ハウジングＨから導出された複数本の電線Ｗが、平面視において略Ｊ字形（Ｕターン状）に屈曲され、電線カバーＡから前方へ導出されるようになっている。
【００１５】
図７に示すように、配索空間Ｓ内における電線Ｗの配索経路は、ハウジングＨから後方へ延出した第１直線状配索領域Ｌ１と、第１直線状配索領域Ｌ１から略四半円弧状に延出した第１湾曲状配索領域Ｒ１と、第１湾曲状配索領域Ｒ１から左方へ延出した第２直線状配索領域Ｌ２と、第２直線状配索領域Ｌ２から略四半円弧状に延出した第２湾曲状配索領域Ｒ２と、第２湾曲状配索領域Ｒ２から前方へ延出した第３直線状配索領域Ｌ３とから構成されている。
【００１６】
図５，７に示すように、電線カバーＡの前面には嵌合部３６が開口している。嵌合部３６をハウジングＨの後端部に外嵌することにより、電線カバーＡがハウジングＨの後端部に取り付けられている。嵌合部３６の左右方向における開口領域は、電線カバーＡの右端から、左右方向における中央より左側の位置に至る範囲である。電線カバーＡの前面における左端部には、電線カバーＡ内で屈曲した複数本の電線Ｗを外部へ導出させるための筒状の電線導出部３７が形成されている。電線導出部３７の内周面にはコルゲートチューブ３８の後端部が嵌合され、コルゲートチューブ３８内には、電線Ｗの第３直線状配索領域Ｌ３が挿通されている。
【００１７】
図６，７に示すように、第１半割体１０は、底壁部１１と、底壁部１１の外周縁から上方へ立ち上がる側壁部１２とを有する。第１半割体１０の内部空間は、底壁部１１と側壁部１２とによって区画されている。側壁部１２は、右外壁部１３Ｒ、傾斜壁部１４、後壁部１５、左外壁部１３Ｌ、右内壁部１６Ｒ、左内壁部１６Ｌ及び連結壁部１７から構成されている。右外壁部１３Ｒは、嵌合部３６の右端から底壁部１１の右側縁に沿って後方へ延びている。右外壁部１３Ｒの延出方向は、ハウジングＨの後端面から電線Ｗが導出される方向と概ね平行である。傾斜壁部１４は、右外壁部１３Ｒの後端から斜め左後方へ延びており、傾斜壁部１４と右外壁部１３Ｒは約１３５°の角度（鈍角）をなして繋がっている。
【００１８】
後壁部１５は、傾斜壁部１４の左後端から底壁部１１の後端縁に沿って左方へ延びている。後壁部１５と傾斜壁部１４は約１３５°の角度（鈍角）をなして繋がっており、後壁部１５の延出方向は、ハウジングＨから電線Ｗが導出する方向に対して概ね直角な向きである。左外壁部１３Ｌは、後壁部１５の左端から底壁部１１の左側縁に沿って前方へ延びている。左外壁部１３Ｌの前端は電線導出部３７の後端に連なっている。左外壁部１３Ｌの延出方向は、後壁部１５と略直角であり、ハウジングＨから電線Ｗが導出する方向及び電線導出部３７における電線Ｗの挿通方向と概ね平行である。後壁部１５の左端部と左外壁部１３Ｌの後端部とが略直角に繋がった部分は、角部１８となっている。
【００１９】
底壁部１１には、前端縁部のうち嵌合部３６と電線導出部３７の間の領域を後方へ凹ませた形態の切欠部１９が形成されている。右内壁部１６Ｒは、嵌合部３６の左端から切欠部１９の開口縁に沿って後方へ延びている。左内壁部１６Ｌは、電線導出部３７の後端から切欠部１９の開口縁に沿って後方へ延びている。連結壁部１７は、右内壁部１６Ｒの後端と左内壁部１６Ｌの後端とを連結する形態である。連結壁部１７の左端側部分は、略四半円弧形をなし、左内壁部１６Ｌに対して滑らかに連なっている。
【００２０】
第１半割体１０には、第１ロック突起２１（請求項に記載のロック突起）、第２ロック突起２２（請求項に記載のロック突起）、左右一対の第３ロック突起２３Ｌ，２３Ｒ（（請求項に記載のロック突起）、及び左右一対の第４ロック突起２４が形成されている。これらのロック突起２１，２２，２３Ｌ，２３Ｒ，２４は、第２半割体４０の弾性ロック片４１，４２，４３Ｌ，４３Ｒ，４４と係止することで、第１半割体１０と第２半割体４０を合体状態にロックする（図１，３，４，６を参照）。
【００２１】
図７に示すように、第１ロック突起２１は、傾斜壁部１４の外面から突出している。第１ロック突起２１は、傾斜壁部１４の延出方向における略中央位置、即ち右外壁部１３Ｒの後端と後壁部１５の右端との間の中間位置に配されている。第２ロック突起２２は、左外壁部１３Ｌの外面における後端部に配されている。詳細には、第２ロック突起２２は、左外壁部１３Ｌの後端（角部１８）よりも少し前方の位置に配されている。一対の第３ロック突起２３Ｌ，２３Ｒは、右外壁部１３Ｒの外面と右内壁部１６Ｒの外面から突出している。つまり、一対の第３ロック突起２３Ｌ，２３Ｒは嵌合部３６の近傍に配されている。一対の第４ロック突起２４は、電線導出部３７を構成する左右一対の側面壁２５の外面から突出している。
【００２２】
側壁部１２には、第１補強部２６（請求項に記載の補強部）が形成されている。第１補強部２６は、第１ロック突起２１の形成部位である傾斜壁部１４が内側（配索空間Ｓ内）へ傾くように変位することを規制する手段である。第１補強部２６の下端は、全領域に亘って底壁部１１の上面に繋がっている。第１補強部２６は、第１ロック突起２１に対し傾斜壁部１４を挟んで背中合わせの位置関係となるように配されている。
【００２３】
図７に示すように、第１補強部２６は、基部２７と、一対の延出部２８とを備えて構成されている。基部２７は、傾斜壁部１４の内面から配索空間Ｓに向かって略直角に突出した形態である。一対の延出部２８は、基部２７の突出端から傾斜壁部１４と平行に対向するように延出した形態である。即ち、一方の延出部２８は、基部２７から斜め右前方へ延出し、右外壁部１３Ｒの内面に対し約４５°の角度で繋がっている。他方の延出部２８は、基部２７から斜め左後方へ延出し、後壁部１５の内面に対し約４５の角度で繋がっている。
【００２４】
一対の延出部２８の内面（配索空間Ｓに臨む面）は、全領域に亘って平坦な第１受け面２９（請求項に記載の受け面）となっている。第１受け面２９は、右外壁部１３Ｒの内面及び後壁部１５の内面に対し約１３５°（鈍角）をなして連なっている。第１受け面２９は、電線カバーＡ内における電線Ｗの第１湾曲状配索領域Ｒ１に対して曲げの外側から対向するように配されている。
【００２５】
側壁部１２には、第２補強部３０（請求項に記載の補強部）が形成されている。第２補強部３０は、第２ロック突起２２の形成部位である左外壁部１３Ｌが内側（配索空間Ｓ内）へ傾くように変位することを規制する手段である。第２補強部３０の下端は、全領域に亘って底壁部１１の上面に繋がっている。第２補強部３０は、平板状をなし、左外壁部１３Ｌに対して約４５°の角度をなしている。第２補強部３０の左前側の端部は左外壁部１３Ｌの内面に繋がり、第２補強部３０の右後側の端部は後壁部１５の内面に繋がっている。第２補強部３０のうち左前側の端部は、第２ロック突起２２に対し左外壁部１３Ｌを挟んで背中合わせの位置関係となるように配されている。
【００２６】
第２補強部３０の内面（配索空間Ｓに臨む面）は第２受け面３１となっている。第２受け面３１は、左外壁部１３Ｌの内面及び後壁部１５の内面に対し約１３５°（鈍角）をなして連なっている。第１受け面２９は、電線カバーＡ内における電線Ｗの第２湾曲状配索領域Ｒ２に対して曲げの外側から対向するように配されている。
【００２７】
側壁部１２には、第３補強部３２（請求項に記載の補強部）が形成されている。第３補強部３２は、左右一対の第３ロック突起２３Ｌ，２３Ｒのうち左側の第３ロック突起２３Ｌの形成部位である左内壁部１６Ｌが内側（配索空間Ｓ内）へ傾くように変位することを規制する手段である。第３補強部３２の下端は、全領域に亘って底壁部１１の上面に繋がっている。第３補強部３２は、第３ロック突起２３Ｌに対し左内壁部１６Ｌを挟んで背中合わせの位置関係となるように配されている。第３補強部３２は、湾曲した板状をなす。第３補強部３２の前端は、嵌合部３６の左端部に繋がっている。第３補強部３２の後端部は、略四半円弧状に湾曲しており、右内壁部１６Ｒの後端に繋がっている。
【００２８】
第３補強部３２の内面（配索空間Ｓに臨む面）は第３受け面３３となっている。第３受け面３３は、電線カバーＡ内における電線Ｗの第１湾曲状配索領域Ｒ１に対して曲げの内側から対向するように配されている。第３受け面３３は、連結壁部の内面に滑らかに連なっている。右内壁部１６Ｒの内面と第３受け面３３と左内壁部１６Ｌの内面は、段差や凹凸がなく滑らかに連なっている。
【００２９】
図８に示すように、第２半割体４０は、全体として第１半割体１０の底壁部１１と上下対称な板状をなす。第２半割体４０には、第１〜第４弾性ロック片４１，４２，３Ｌ，４３Ｒ，４４が形成されている。平面視において、第１弾性ロック片４１、第２弾性ロック片４２、一対の第３弾性ロック片４３Ｌ，４３Ｒ及び一対の第４弾性ロック片４４は、夫々、第１ロック突起２１、第２ロック突起２２、一対の第３ロック突起２３Ｌ，２３Ｒ及び一対の第４ロック突起２４と対応する位置に配されている。
【００３０】
第２半割体４０を第１半割体１０に合体させると、図１，３，４，６に示すように、第１〜第４弾性ロック片４１，４２，４３Ｌ，４３Ｒ，４４が、夫々、対応する第１〜第４ロック突起２１，２２，２３Ｌ，２３Ｒ，２４に係止し、これらの係止作用によって第１半割体１０と第２半割体４０が合体状態にロックされる。ロック状態では、第１弾性ロック片４１が傾斜壁部１４の外面に重なるように配されるため、傾斜壁部１４が内面側（配索空間Ｓ側）へ倒れるように変形すると、第１ロック突起２１が第１弾性ロック片４１から外れてしまうことが懸念される。しかし、傾斜壁部１４の内面には第１補強部２６が形成されているので、傾斜壁部１４が内面側へ傾く虞はない。
【００３１】
また、第２弾性ロック片４２は左外壁部１３Ｌの外面に重なるように配されるため、左外壁部１３Ｌが内面側へ変形すると、第２ロック突起２２が第２弾性ロック片４２から外れてしまうことが懸念される。しかし、左外壁部１３Ｌの内面には第２補強部３０が形成されているので、左外壁部１３Ｌが内面側へ傾く虞はない。また、左側の第３弾性ロック片４３Ｌは右内壁部１６Ｒの外面に重なるように配されるため、右内壁部１６Ｒが内面側へ変形すると、第３ロック突起２３Ｌが第３弾性ロック片４３Ｌから外れてしまうことが懸念される。しかし、右内壁部１６Ｒの内面には第３補強部３２が形成されているので、右内壁部１６Ｒが内面側へ傾く虞はない。
【００３２】
また、右側の第３弾性ロック片４３Ｒは右外壁部１３Ｒの外面に重なるように配されるため、右外壁部１３Ｒが内面側へ変形すると、第３ロック突起２３Ｒが第３弾性ロック片４３Ｒから外れてしまうことが懸念される。しかし、右外壁部１３Ｒの内面には、第１補強部２６を構成する延出部２８が繋がっているので、右外壁部１３Ｒが内面側へ変形する虞はない。また、第４弾性ロック片４４は電線導出部３７の側面壁２５の外面に重なるように配されるため、側面壁２５が内面側へ変形すると、第４ロック突起２４が第４弾性ロック片４４から外れてしまうことが懸念される。しかし、側面壁２５の内面は、コルゲートチューブ３８の外面に対し当接又は接近して対向しているので、側面壁２５が内面側へ変形する虞はない。
【００３３】
本実施形態の電線カバーＡは、底壁部１１から側壁部１２を立ち上げた形態の第１半割体１０と、電線Ｗを挟むように第１半割体１０に合体される第２半割体４０とを備えている。側壁部１２の外面には複数のロック突起２１，２２，２３Ｌ，２３Ｒ，２４が形成されている。第２半割体４０には、ロック突起２１，２２，２３Ｌ，２３Ｒ，２４に係止することで第１半割体１０と第２半割体４０を合体状態にロックする複数の弾性ロック片４１，４２，４３Ｌ，４３Ｒ，４４が形成されている。側壁部１２の内面のうち第１〜第３ロック突起２１，２２，２３Ｌ，２３Ｒと背中合わせとなる領域には、夫々、側壁部１２の内面側への変位を抑制可能な第１〜第３補強部２６，３０，３２が形成されている。補強部２６，３０，３２における電線Ｗとの対向領域には、滑らかに延びる受け面２９，３１，３３が形成されている。
【００３４】
傾斜壁部１４は、第１補強部２６によって内面側へ変位すること規制されているので、第１ロック突起２１と第１弾性ロック片４１とを確実に係止させることができる。左外壁部１３Ｌは、第２補強部３０によって内面側へ変位すること規制されているので、第２ロック突起２２と第２弾性ロック片４２とを確実に係止させることができる。右内壁部１６Ｒは、第３補強部３２によって内面側へ変位すること規制されているので、左側の第３ロック突起２３Ｌと第３弾性ロック片４３Ｌとを確実に係止させることができる。右外壁部１３Ｒは、第１補強部２６によって内面側へ変位すること規制されているので、右側の第３ロック突起２３Ｒと第３弾性ロック片４３Ｒとを確実に係止させることができる。
【００３５】
また、補強部２６，３０，３２のうち電線Ｗと対向する領域は、滑らかに延びた受け面２９，３１，３３となっているので、電線Ｗが振動等によって受け面２９，３１，３３に接触しても、電線Ｗが受け面２９，３１，３３によって損傷する虞はない。したがって、本実施例１の電線カバーＡは、電線カバーＡ内に配索された電線Ｗを損傷させることなく、第１半割体１０と第２半割体４０を合体した状態に保持できるまた、受け面２９，３１，３３は電線Ｗの配索方向に沿うように延びた形態であるから、これらの受け面２９，３１，３３によって、電線Ｗを電線カバーＡ内において所定の配索経路に沿うようにガイドすることができる。
【００３６】
また、第１受け面２９のうち電線Ｗの配索方向における両端部が、右外壁部１３Ｒの内面と後壁部１５の内面に繋がっているので、第１補強部２６の剛性が高くなっている。第２受け面３１のうち電線Ｗの配索方向における両端部が、後壁部１５の内面と左外壁部１３Ｌの内面に繋がっているので、第２補強部３０の剛性が高くなっている。第３受け面３３のうち電線Ｗの配索方向における一方の端部が、右内壁部１６Ｒの内面に繋がっているので、第３補強部３２の剛性が高くなっている。
【００３７】
また、第１補強部２６は、傾斜壁部１４の内面から略直角に突出した基部２７と、基部２７の突出端から傾斜壁部１４に沿って延出した一対の延出部２８とを備えており、延出部２８に第１受け面２９が形成されている。傾斜壁部１４の内面に沿うように配された延出部２８に第１受け面２９が形成されているので、第１受け面２９を広く確保することができる。
【００３８】
また、第２補強部３０は、略平板状をなしていて、側壁部１２の角部１８を構成する後壁部１５と左外壁部１３Ｌの内面同士を連結する形態となっている。この構成によれば、略平板状の第２補強部３０と２つの平板状壁部（後壁部１５の左端部と左外壁部１３Ｌの後端部）とによって三角形が形成されるので、第２補強部３０の剛性が高い。
【００３９】
＜他の実施例＞
本発明は上記記述及び図面によって説明した実施例に限定されるものではなく、例えば次のような実施例も本発明の技術的範囲に含まれる。
（１）上記実施例では、３つの補強部を設けたが、補強部の数は２つでもよく、４つ以上でもよい。
（２）上記実施例では、補強部を一部のロック突起のみと対応させるように設けたが、補強部は、全てのロック突起と対応させて設けてもよい。
（３）上記実施例では、６つのロック突起を設けたが、ロック突起の数は、５つ以下でもよく、７つ以上でもよい。
（４）上記実施例では、電線カバー内において電線がＵターン状（略Ｕ字形）に屈曲して配索されているが、電線カバー内における電線の配索経路は、略Ｌ字形等、他の形態であってよい。
【符号の説明】
【００４０】
Ａ…電線カバー
Ｈ…ハウジング
Ｗ…電線
１０…第１半割体
１１…底壁部
１２…側壁部
１３Ｌ…左外壁部（平板状壁部）
１５…後壁部（平板状壁部）
１８…角部
２１…第１ロック突起（ロック突起）
２２…第２ロック突起（ロック突起）
２３Ｌ，２３Ｒ…第３ロック突起（ロック突起）
２６…第１補強部（補強部）
２７…基部
２８…延出部
２９…第１受け面（受け面）
３０…第２補強部（補強部）
３１…第２受け面（受け面）
３２…第３補強部（補強部）
３３…第３受け面（受け面）
４０…第２半割体
４１…第１弾性ロック片（弾性ロック片）
４２…第２弾性ロック片（弾性ロック片）
４３Ｌ，４３Ｒ…第３弾性ロック片（弾性ロック片）
【図１】
2019220346.tif 000003
【図２】
2019220346.tif 000004
【図３】
2019220346.tif 000005
【図４】
2019220346.tif 000006
【図５】
2019220346.tif 000007
【図６】
2019220346.tif 000008
【図７】
2019220346.tif 000009
【図８】
2019220346.tif 000010